(57)【特許請求の範囲】
【請求項１】
網点又は万線で隠しパターンが構成された隠しパターンフィルムを感光材料上に載置して感光させ、前記感光材料の未露光部分にホログラム画像を記録したホログラム層を有することを特徴とする画像形成体。
【請求項２】
前記ホログラム層は、レリーフホログラム又は、体積型ホログラムであることを特徴とする請求項１記載の画像形成体。
【請求項３】
前記隠しパターンは、絵柄を構成している網点又は万線に対して周期が半周期づれた網点又は万線にて構成される縁取りがされている請求項１記載の画像形成体。
【請求項４】
請求項１記載の画像形成体に、この画像形成体の隠しパターンと干渉するようなパターンを有する確認具を重ね合わせ、モアレパターンの発生を確認することを特徴とする確認方法。
【請求項５】
網点又は万線で確認パターンが構成された確認パターンフィルムを感光材料上に載置して感光させ、前記感光材料の未露光部分にホログラム画像を記録したホログラム層を有することを特徴とする画像形成体。
【請求項６】
前記ホログラム層は、レリーフホログラム又は、体積型ホログラムであることを特徴とする請求項５記載の画像形成体。
【請求項７】
請求項５記載の画像形成体の確認パターンと干渉するような隠しパターンを有し、この隠しパターンは、絵柄を構成している網点又は万線に対して周期が半周期づれた網点又は万線にて構成される縁取りがされていることを特徴とする確認具。
【請求項８】
請求項５記載の画像形成体に、この画像形成体の確認パターンと干渉するような隠しパターンを有する確認具を重ね合わせ、モアレパターンの発生を確認することを特徴とする偽造物の確認方法。
【発明の詳細な説明】
【０００１】
【発明の属する技術分野】
本発明は画像形成体、確認具、および確認方法に関するものである。
【０００２】
【従来の技術】
従来、金券等を複写機で複写した偽造物を抑制するために、印刷物中に複写機の解像力を超えた大きさの網点で構成された領域を設けることにより、複写機を利用して偽造物を見分けるコピー牽制方式が用いられてきた。
しかし、カラー複写機の技術進歩により、カラー複写機の解像度が増し、複写機の解像力を超えた大きな網点を用いる方式では、そのコピー牽制効果を十分上げることが困難となっている。
【０００３】
そのため本出願人は、万線状パターンで隠しパターンを印刷した印刷物を作成し、その印刷物が複写物の場合、透明な判別具を被せても、隠しパターンが現れないことで複写物を見分ける複写物判別法に関する特許（特願平８−２５７９６１、特願平８−３４０８５０ )を既に出願中である。
また、近年、意匠性に優れ、本体の複製が難しく、セキュリティの高いホログラムがカラーコピー対策として用いられている。
【０００４】
【発明が解決しようとする課題】
しかしながら、隠しパターン入り印刷物は、隠しパターンが入っていることは分からないが、入っていることが分かれば、通常の印刷技術を有す偽造者であれば、比較的安易に偽造することができる。
又、印刷物の解像度を高める作業も、安定した生産性確保の面で困難である。更に、ホログラムについては、ホログラム自体の絵柄は、絵柄のみの確認で、セキュリティアップ、機能性の向上、付加価値が求められている。
【０００５】
本発明は、このような問題に鑑みてなされたもので、その目的とするところは、偽造防止が行なえ、セキュリティが高く、装飾性に優れた画像形成体、確認具、および確認方法を提供することにある。
【０００６】
【課題を解決するための手段】
前述した目的を達成するために、第１の発明は、網点又は万線で隠しパターンが構成された隠しパターンフィルムを感光材料上に載置して感光させ、前記感光材料の未露光部分にホログラム画像を記録したホログラム層を有することを特徴とする画像形成体である。第２の発明は、第１の発明の画像形成体にこの画像形成体の隠しパターンと干渉するようなパターンを有することを特徴とする確認具を重ね合わせ、モアレパターンの発生を確認することを特徴とする確認方法である。
【０００７】
第３の発明は、網点又は万線で確認パターンが構成された確認パターンフィルムを感光材料上に載置して感光させ、前記感光材料の未露光部分にホログラム画像を記録したホログラム層を有することを特徴とする画像形成体である。第４の発明は、第３の発明の画像形成体の確認パターンと干渉するような隠しパターンを有し、この隠しパターンは、絵柄を構成している網点又は万線に対して周期が半周期づれた網点又は万線にて構成される縁取りがされていることを特徴とする確認具である。第５の発明は、第３の発明の画像形成体に、この画像形成体の確認パターンと干渉するような隠しパターンを有する確認具を重ね合わせ、モアレパターンの発生を確認することを特徴とする偽造物の確認方法である。
【０００８】
【発明の実施の形態】
以下、本発明の実施の形態について説明する。図１は本発明の第１の実施の形態を示す説明図である。第１の実施の形態では、確認具として、確認パターン形成体１を用いる。画像形成体３を単体で見ると、ホログラム画像が表示され、隠しパターンがあることは分からない。画像形成体３に確認パターン形成体１を重ねると、モアレパターンが確認できる。
【０００９】
画像形成体３に代えて、隠しパターンの書き込まれていない画像形成体に確認パターン形成体１を重ねても、モアレパターンは検出できない。このように、モアレパターン発生の有無により、オリジナルの画像形成体であるか、又は偽造した画像形成体であるかを判断することができる。
【００１０】
図２は確認パターン形成体１と画像形成体３の構成を示す図である。画像形成体３は、ホログラム層５の上を保護層７で覆って構成される。
ホログラム層５は、ホログラム記録用の感光材料４１からなり、その感光材料４１には、ホログラム画像と網点又は万線で構成された隠しパターンが記録されている。
【００１１】
確認パターン形成体１は、東レ製Ｔ−６０：厚さ１８８μｍの透明フィルムを用い、オフセット印刷機を使用して、墨インキにて印刷した。
ホログラム層５は、ホログラム用フォトポリマー感材（デュポン製のＯｍｎｉＤｅｘ７０６）に隠しパターンフィルム１１を載置して、紫外線を照射し、紫外線照射後、アルゴンレーザーを用いて体積型のホログラム画像を撮影し、干渉縞膨潤用フィルム（デュポン製のＣＴＦ７５）を密着させて、加熱処理を施して作製した。
【００１２】
保護層７は、ホログラム層５の表面保護のためのもので、ホログラム層５の表面に粘着剤付き厚さ５０μｍのＰＥＴフィルム（リンテック製のフジクリア）をラミネートして作製される。
【００１３】
画像形成体３は、ＩＤカード、クレジットカード等のカード、証明書、定期券、商品券、ＩＤ証等の金券類の印刷物等に用いられる。
【００１４】
図３は、隠しパターンフィルム１１に印刷された隠しパターンの確認領域１５の拡大図である。確認領域１５は、確認パターン部１７、パターン縁取り部１９、背景領域２１を有する。
【００１５】
隠しパターンフィルム１１の製造方法は、通常の製版と同様に、レーザーにて描画され、現像することにより作成される。隠しパターンフィルム１１上の確認領域１５内は、万線にて構成される。尚、確認領域１５内を網点で構成してもよい。
【００１６】
図４は、確認領域１５内の領域２３を拡大した図である。確認パターン部１７は、右４５度上がりで１００μｍ等間隔の黒のストライプの繰り返しである規則的なパターンを有する。パターン縁取り部１９は、１ｍｍの幅で確認パターン部１７の周囲に設けられ、確認パターン部１７のパターンと半周期ずれたパターンを有する。
【００１７】
背景領域２１は確認パターン部１７およびパターン縁取り部１９に対して、網点％濃度がほぼ同じため見た目では判断できない。
【００１８】
図５は、図３の確認領域１５と同様なパターンを持ち、文字Ａより単純化されたデザインの確認領域３１の拡大図である。確認領域３１は、確認パターン部３５、パターン縁取り部３７、背景領域３９を有する。
【００１９】
ここで、確認パターン部３５は、右４５度上がりで１００μｍ等間隔の黒のストライプの繰り返しである規則的なパターンを有する。パターン縁取り部３７は確認パターン部３５の周囲に設けられ、確認パターン部３５のパターンと半周期ずれたパターンを有する。パターン縁取り部３７に関しては、確認具を載せた場合のモアレパターンの鮮明度を考えて設けることが望ましいが、取り付けなくても構わない。
【００２０】
背景領域３９は、確認パターン部３５およびパターン縁取り部３７とほぼ同じ濃度を有する。ここでは、左４５度上がりのストライプを用いたが、ストライプの角度は、自由に決められる。
【００２１】
次に、図６から図７を用いて、ホログラム層５の製造工程を説明する。
まず、図３又は図５のような確認領域１５、または確認領域３１を隠しパターンフィルム１１上に作成する。
【００２２】
次に、その隠しパターンフィルム１１を未露光のホログラム用の感光材料４１に載置して、隠しパターンフィルム１１側から紫外線を照射する。
図６は、隠しパターンフィルム１１をホログラム用の感光材料４１の上に載置して紫外線を照射している図である。
【００２３】
隠しパターンフィルム１１は、図３又は図５に示すような確認領域１５、３１を有し、確認領域は、万線で構成されている。隠しパターンフィルム１１上の万線の黒い部分は、光を通さないため感光せず、透明な部分は紫外線を通して感光される。
【００２４】
図７は、紫外線照射後のホログラム用の感光材料４１を示す図である。紫外線を透過した透明な部分４２は、感光されているが、網点または、万線の黒い部分に当たる部分４３は、未露光のまま残る。
次に、図７のホログラム用の感光材料４１にホログラム画像の撮影を行なう。
【００２５】
ホログラム画像を撮影するには、撮影対象となる物体をレーザー光などの干渉性の高い光で照射し、撮影対象となる物体から直接反射した物体光と、ハーフミラー等で照射位置をずらした参照光とで生じる干渉縞を、ホログラム用の感光材料４１内に記録させる。
【００２６】
ホログラム画像の撮影時、紫外線を既に透過した透明な部分４２は、すでに感光されているので、干渉縞を記録できないが、万線の黒い部分に覆われていた部分４３は、ホログラム画像を干渉縞として記録し、干渉縞記録部分４３を形成する。
【００２７】
このように、撮影の完了したホログラム用の感光材料４１は、干渉縞記録部分４３にのみホログラム画像を有する。このホログラム用の感光材料４１をホログラム層５とする。
【００２８】
図８は、以上のようにして製造したホログラム層５に、照明光を当て、ホログラム画像を再生する原理を示す図である。
照明光をホログラム層５に当てると、干渉縞記録部分４３からは、回折光が有り、撮影対象となった物体が立体的に再現されるが、干渉縞が記録されていない部分４２からの回折光はない。
【００２９】
図９は、確認パターン形成体１の拡大図である。確認パターン形成体１は、光を透過するフィルム等からなり、確認パターン形成体１は確認パターン部３５のストライプと同様なストライプで構成され、確認パターン部３５およびパターン縁取り部３７と干渉し、背景領域３９と干渉しない。
ここで、確認パターン形成体１の製造方法は、印刷にて作成する方法と製版フィルムを利用する方法がある。
【００３０】
図１０は、画像形成体３上に、確認パターン形成体１を載せた場合の説明図であり、確認パターン部３５は、確認パターン形成体１のストライプと干渉し、完全に黒に成る。また、パターン縁取り部３７は、確認パターン形成体１のストライプと干渉し、背景領域３９よりも明るいグレーに成る。背景領域３９は、確認パターン形成体１と干渉しないため、グレーレベルは変化しない。
従って、白の縁取りのある黒のモアレパターンが浮かび上がる。図４の場合には、白の縁取りのある黒色の文字Ａが浮かび上がる。
【００３１】
図１１は、図１０の場合より半周期ずらして、画像形成体３上に、確認パターン形成体１を載せた場合の説明図を示しており、確認パターン部３５は、確認パターン形成体１のストライプと干渉し、背景領域３９よりも明るいグレーに成る。また、パターン縁取り部３７は、確認パターン形成体１のストライプと干渉し、完全に黒に成る。背景領域３９は、確認パターン形成体１と干渉しないため、グレーレベルは変化しない。
従って、黒の縁取りのある白色のモアレパターンが浮かび上がる。図４の場合には、黒の縁取りのある白色の文字Ａが浮かび上がる。
【００３２】
図１２は、画像形成体３をＩＤカード５１に設けた例を示す図である。ＩＤカード５１には、画像形成体３ａ以外に、顔写真５３等が設けられる。
この状態で、ＩＤカード５１を肉眼で見ると、画像形成体３ａに記録されたホログラム画像を確認することができる。
【００３３】
図１３は、図１２のＩＤカード５１に確認パターン形成体１を載せた図である。図１２でホログラム画像が確認でき、図１３の状態で隠しパターン文字Ａを確認できたＩＤカード５１は、オリジナルなＩＤカード５１であることが証明される。しかし、図１２でホログラム画像を確認できても、図１３の状態で隠しパターン文字Ａを確認できないＩＤカード５１があれば、偽造物であることが分かる。
【００３４】
このように、本実施の形態によれば確認具として確認パターン形成体１を用いることにより、オリジナルのＩＤカード５１と偽造されたＩＤカードとを簡単な方法でチェックすることができる。
【００３５】
尚、本実施の形態では、ホログラムは、表面の凹凸で回折光を生じるレリーフ型ホログラムあるいは、フィルムの厚み方向に干渉縞が記録されている体積位相型ホログラムを用いることができる。
【００３６】
次に、第２の実施の形態について説明する。
図１４は、第２の実施の形態において、確認具としての隠しパターン形成体６１と画像形成体６３の構成を示す図である。第２の実施の形態では、画像形成体６３は、ホログラム画像と網点又は万線で構成された確認パターンが記録されたホログラム層６５の上を保護層６７で覆って構成される。
【００３７】
ここで、ホログラム層６５には、第１の実施の形態の確認パターン形成体１のパターンが形成され、隠しパターン形成体６１には、第１の実施の形態の隠しパターンフィルム１１のパターンが形成される。第２の実施の形態でも、第１の実施の形態と同様の効果を奏する。
また、前述した第１および第２の実施の形態にかかる画像形成体は、装飾性が高く、おもちゃ、ノベルティ、プレミアム、包装材料、書籍等に用いることができる。
【００３８】
【発明の効果】
以上説明したように、本発明によれば、偽造防止が行なえ、セキュリティの高い画像形成体、確認具、およびそれを用いた偽造物の確認方法を提供することができる。
【図面の簡単な説明】
【図１】本発明の第１の実施の形態を示す説明図
【図２】確認パターン形成体１と画像形成体３の構成を示す図
【図３】隠しパターンフィルム１１に印刷された隠しパターンの確認領域１５の拡大図
【図４】確認領域１５内の領域２３を拡大した図
【図５】図３の確認領域１５と同様なパターンを持ち、文字Ａより単純化されたデザインの確認領域３１の拡大図
【図６】隠しパターンフィルム１１をホログラム用の感光材料４１の上に載置して紫外線を照射している図
【図７】紫外線照射後のホログラム用の感光材料４１を示す図
【図８】ホログラム画像を再生する原理を示す図
【図９】確認パターン形成体１の拡大図
【図１０】確認領域３１上に、確認パターン形成体１を載せた場合の説明図
【図１１】図１０の場合より半周期ずらして、確認領域３１上に、確認パターン形成体１を載せた場合の説明図
【図１２】画像形成体３をＩＤカード５１に設けた例を示す図
【図１３】図１２のＩＤカード５１に確認パターン形成体１を載せた図
【図１４】第２の実施の形態における隠しパターン形成体６１と画像形成体６３の構成を示す図
【符号の説明】
１………確認パターン形成体
３、３ａ、６３………画像形成体
７、６７………保護層
５、６５………ホログラム層
１１………隠しパターンフィルム
４１………感光材料
４２………干渉縞が記録されていない部分
４３………干渉縞記録部分
５１………ＩＤカード
６１………確認パターン形成体
【図１】
0003964038.tif 000002
【図２】
0003964038.tif 000003
【図３】
0003964038.tif 000004
【図４】
0003964038.tif 000005
【図５】
0003964038.tif 000006
【図６】
0003964038.tif 000007
【図７】
0003964038.tif 000008
【図８】
0003964038.tif 000009
【図９】
0003964038.tif 000010
【図１０】
0003964038.tif 000011
【図１１】
0003964038.tif 000012
【図１２】
0003964038.tif 000013
【図１３】
0003964038.tif 000014
【図１４】
0003964038.tif 000015